(57)【要約】【課題】火山灰や砂が堆積する地域に設置する場合であっても、堆積物により発電量が減少することを防ぐことができる太陽光発電装置及び太陽光発電方法を提供する。【解決手段】太陽光を受光して発電する太陽光発電パネルと、太陽光の日射量を計測する日射量計測部２１と、太陽光発電パネルの発電量を計測する発電量計測部２２と、日射量と発電量との関係を記憶する発電量記憶部２３ａを備える。また、日射量計測部２１が計測した日射量に対応する発電量を発電量記憶部２３ａから読み出す日射量読出部２４と、発電量計測部２２が計測した発電量が日射量読出部２４が読み出した発電量から所定の割合以上減衰しているか否かについて判定する減衰量判定部２５と、減衰量判定部２５の判定結果に応じて太陽光発電パネルの仰角を制御する仰角制御部２６を備える。【選択図】図４
2008021683.tif 000002
【特許請求の範囲】
【請求項１】
太陽光を受光して発電する太陽光発電手段と、
前記太陽光の日射量を計測する日射量計測手段と、
前記太陽光発電手段の発電量を計測する発電量計測手段と、
日射量と発電量との関係を記憶する発電量記憶手段と、
前記日射量計測手段が計測した日射量に対応する発電量を前記発電量記憶手段から読み出す日射量読出手段と、
前記発電量計測手段が計測した発電量が前記日射量読出手段が読み出した発電量から所定の割合以上減衰しているか否かについて判定する減衰量判定手段と、
前記減衰量判定手段の判定結果に応じて前記太陽光発電手段に堆積した堆積物を除去する堆積物除去手段と、
を備えることを特徴とする太陽光発電装置。
【請求項２】
前記堆積物除去手段は、前記減衰量判定手段の判定結果に応じて前記太陽光発電手段の仰角を制御する仰角制御手段を備えることを特徴とする請求項１に記載の太陽光発電装置。
【請求項３】
前記仰角制御手段は、前記発電量計測手段が計測した発電量が前記日射量読出手段が読み出した発電量から所定の割合以上減衰していると前記減衰量判定手段が判定した場合に、前記仰角が０°以下となるように制御することを特徴とする請求項２に記載の太陽光発電装置。
【請求項４】
時期と前記太陽光発電手段の仰角との関係を対応付けて記憶する仰角記憶手段と、
現在の時期を特定する時期特定手段とを備え、
前記仰角制御手段は、現在の時期に対応する仰角を前記仰角記憶手段から読み出し、前記太陽光発電手段の仰角をその仰角に制御することを特徴とする請求項１から３までのいずれかの項に記載の太陽光発電装置。
【請求項５】
前記堆積物除去手段は、前記発電量計測手段が計測した発電量が前記日射量読出手段が読み出した発電量から所定の割合以上減衰していると前記減衰量判定手段が判定した場合に、前記太陽光発電手段を振動させる振動制御手段を備えることを特徴とする請求項１から４までのいずれかの項に記載の太陽光発電装置。
【請求項６】
前記堆積物除去手段は、前記発電量計測手段が計測した発電量が前記日射量読出手段が読み出した発電量から所定の割合以上減衰していると前記減衰量判定手段が判定した場合に、前記太陽光発電手段の受光面を清掃する清掃手段を備えることを特徴とする請求項１から５までのいずれかの項に記載の太陽光発電装置。
【請求項７】
太陽光を受光して太陽光発電手段により発電する第１のステップと、
前記太陽光の日射量を日射量計測手段により計測する第２のステップと、
前記太陽光発電手段の発電量を発電量計測手段により計測する第３のステップと、
日射量と発電量との関係を発電量記憶手段に記憶する第４のステップと、
前記日射量計測手段が計測した日射量に対応する発電量を前記発電量記憶手段から日射量読出手段により読み出す第５のステップと、
前記発電量計測手段が計測した発電量が前記日射量読出手段が読み出した発電量から所定の割合以上減衰しているか否かについて減衰量判定手段により判定する第６のステップと、
前記減衰量判定手段の判定結果に応じて前記太陽光発電手段に堆積した堆積物を堆積物除去手段により除去する第７のステップと、
を実行することを特徴とする太陽光発電方法。
【発明の詳細な説明】
【技術分野】
【０００１】
本発明は、太陽光発電装置及び太陽光発電方法に関する。
【背景技術】
【０００２】
従来から、太陽光を太陽光発電パネルで受光して発電を行う太陽光発電装置が知られている。また、この太陽光発電装置を改良した技術として、太陽の位置する方角に応じて、太陽光発電パネルの向きを変化させる技術が知られている（特許文献１参照）。
【特許文献１】特開２００４−３６２８６６号公報
【発明の開示】
【発明が解決しようとする課題】
【０００３】
しかしながら、特許文献１に記載されている技術では、太陽光発電装置を火山灰が降る地域や砂漠などに設置した場合に、火山灰や砂が太陽光発電パネルに堆積して、発電量が減少するという問題があった。
【０００４】
本発明は、上記事情に鑑みてなされたものであり、その目的は、火山灰や砂が堆積する地域に設置する場合であっても、堆積物により発電量が減少することを防ぐことができる太陽光発電装置及び太陽光発電方法を提供することにある。
【課題を解決するための手段】
【０００５】
本発明は、上記課題を解決するためになされたもので、請求項１に記載の発明は、太陽光を受光して発電する太陽光発電手段と、前記太陽光の日射量を計測する日射量計測手段と、前記太陽光発電手段の発電量を計測する発電量計測手段と、日射量と発電量との関係を記憶する発電量記憶手段と、前記日射量計測手段が計測した日射量に対応する発電量を前記発電量記憶手段から読み出す日射量読出手段と、前記発電量計測手段が計測した発電量が前記日射量読出手段が読み出した発電量から所定の割合以上減衰しているか否かについて判定する減衰量判定手段と、前記減衰量判定手段の判定結果に応じて前記太陽光発電手段に堆積した堆積物を除去する堆積物除去手段とを備えることを特徴とする太陽光発電装置である。
本発明によれば、太陽光発電手段に堆積物が堆積した場合であっても、堆積物除去手段により堆積物を除去することができるので、太陽光発電装置を火山灰が降る地域や砂漠に設置する場合であっても、堆積物により発電量が減少することを防ぐことができる。
【０００６】
また、請求項２に記載の発明は、前記堆積物除去手段は、前記減衰量判定手段の判定結果に応じて前記太陽光発電手段の仰角を制御する仰角制御手段を備えることを特徴とする請求項１に記載の太陽光発電装置である。
本発明によれば、太陽光発電手段に堆積物が堆積した場合に、太陽光発電手段の仰角を変化させることにより太陽光発電手段に堆積した堆積物を落下させることができる。
【０００７】
また、請求項３に記載の発明は、前記仰角制御手段は、前記発電量計測手段が計測した発電量が前記日射量読出手段が読み出した発電量から所定の割合以上減衰していると前記減衰量判定手段が判定した場合に、前記仰角が０°以下となるように制御することを特徴とする請求項２に記載の太陽光発電装置である。
本発明によれば、太陽光発電手段に堆積物が堆積した場合に、太陽光発電手段の仰角が０°以下となるため、太陽光発電手段に堆積した堆積物を落下させることができる。
【０００８】
また、請求項４に記載の発明は、時期と前記太陽光発電手段の仰角との関係を対応付けて記憶する仰角記憶手段と、現在の時期を特定する時期特定手段とを備え、前記仰角制御手段は、現在の時期に対応する仰角を前記仰角記憶手段から読み出し、前記太陽光発電手段の仰角をその仰角に制御することを特徴とする請求項１から３までのいずれかの項に記載の太陽光発電装置である。
本発明によれば、時期に応じて太陽光発電手段の仰角を変化させることができるため、時期に応じて太陽光発電手段で太陽光を効率的に受光することができる。
【０００９】
また、請求項５に記載の発明は、前記堆積物除去手段は、前記発電量計測手段が計測した発電量が前記日射量読出手段が読み出した発電量から所定の割合以上減衰していると前記減衰量判定手段が判定した場合に、前記太陽光発電手段を振動させる振動制御手段を備えることを特徴とする請求項１から４までのいずれかの項に記載の太陽光発電装置である。
本発明によれば、太陽光発電手段を振動させることにより、太陽光発電手段に堆積した堆積物を振るい落とすことができるため、太陽光発電手段が堆積物で覆われることにより発電量が減少することを防ぐことができる。
【００１０】
また、請求項６に記載の発明は、前記堆積物除去手段は、前記発電量計測手段が計測した発電量が前記日射量読出手段が読み出した発電量から所定の割合以上減衰していると前記減衰量判定手段が判定した場合に、前記太陽光発電手段の受光面を清掃する清掃手段を備えることを特徴とする請求項１から５までのいずれかの項に記載の太陽光発電装置である。
本発明によれば、太陽光発電手段を清掃手段により清掃することにより、太陽光発電手段に堆積した堆積物を除去することができるため、太陽光発電手段が堆積物で覆われることにより発電量が減少することを防ぐことができる。
【００１１】
また、請求項７に記載の発明は、太陽光を受光して太陽光発電手段により発電する第１のステップと、前記太陽光の日射量を日射量計測手段により計測する第２のステップと、前記太陽光発電手段の発電量を発電量計測手段により計測する第３のステップと、日射量と発電量との関係を発電量記憶手段に記憶する第４のステップと、前記日射量計測手段が計測した日射量に対応する発電量を前記発電量記憶手段から日射量読出手段により読み出す第５のステップと、前記発電量計測手段が計測した発電量が前記日射量読出手段が読み出した発電量から所定の割合以上減衰しているか否かについて減衰量判定手段により判定する第６のステップと、前記減衰量判定手段の判定結果に応じて前記太陽光発電手段に堆積した堆積物を堆積物除去手段により除去する第７のステップとを実行することを特徴とする太陽光発電方法である。
【発明の効果】
【００１２】
本発明では、発電量計測手段が計測した発電量が日射量読出手段が読み出した発電量から所定の割合以上減衰しているか否かについて減衰量判定手段により判定し、減衰量判定手段の判定結果に応じて太陽光発電手段に堆積した堆積物を堆積物除去手段により除去するようにした。
これにより、太陽光発電手段に堆積物が堆積した場合であっても、その堆積物を除去することができるので、太陽光発電装置を火山灰が降る地域や砂漠に設置する場合であっても、発電量が減少することを防ぐことができる。
【発明を実施するための最良の形態】
【００１３】
以下、図面を参照し、本発明の実施形態について説明する。
図１は、本発明の実施形態による太陽光発電装置１０の構成を示す側面図である。また、図２は太陽光発電装置１０の構造を示す斜視図、図３は太陽光発電装置１０の構造を示す正面図である。太陽光発電装置１０は、火山灰が降る地域、砂嵐が発生する地域において、火山灰、砂などの堆積物が太陽光発電パネル１１上に堆積する地域などに設置される。
図１に示すように、太陽光発電装置１０は、太陽光発電パネル１１（太陽光発電手段）、太陽光発電パネル支持板１２、駆動部１３、回転軸１４、架台１５、ワイパ１６を備えている。
【００１４】
太陽光発電パネル１１は、長方形のフィルム状の形状をしており（図３参照）、太陽光などの光を受光して発電する。太陽光発電パネル１１としては、高温での発電能力の低下の少ないフィルム状の太陽電池などが用いられる。太陽光発電パネル１１の表面には、樹脂等がコーティングされる。
太陽光発電パネル支持板１２は、長方形の平板の形状をしており、平板の一方の面上に太陽光発電パネル１１が取り付けられている。
駆動部１３は、断面がＵ字状の形状をしている（図１参照）。駆動部１３の両端は、太陽光発電パネル支持板１２に取り付けられている。また、駆動部１３の中央部は、回転軸１４によって駆動可能なように架台１５に取り付けられている。
【００１５】
ワイパ１６は、棒状の形状をしており、太陽光発電パネル上に堆積する砂や火山灰などの堆積物を除去する。ワイパ１６は、長手方向とは垂直な方向であって太陽光発電パネル１１の受光面と水平な方向Ｄ１に駆動可能なように取り付けられている。なお、本実施形態では、ワイパ１６の長手方向が地面と水平になるように、ワイパ１６を太陽光発電パネル支持板１２に取り付けているがこれに限定されるものではない。例えば、ワイパ１６の長手方向が地面と垂直になるように、ワイパ１６を太陽光発電パネル支持板１２に取り付けるようにしてもよい。
架台１５は、箱形の形状をしており、地面等に設置される。架台１５の内部には、蓄電池や制御装置などが設置されている。蓄電池は、太陽光発電パネル１１で発電した電力を蓄電する。太陽光発電装置１０の各部を駆動するために、蓄電池に蓄電した電力を用いてもよいし、交流電源などの他の電源を用いてもよい。また、蓄電池に蓄電した電力は、直流電力（例えば、ＤＣ１２Ｖ）として外部に出力してもよいし、交流電力（例えば、ＡＣ１００Ｖ）として外部に出力してもよい。なお、蓄電池としては例えば、鉛蓄電池やリチウムイオン電池などを用いることができる。
制御装置は、太陽光発電装置１０の各部を制御する。制御装置の詳細については後述する。
【００１６】
架台１５が設置される地面に水平な方向ａ１（図１参照）と、太陽光発電パネル１１の受光面に垂直な方向ａ２とがなす角度を仰角θとする。本実施形態による太陽光発電装置１０では、駆動部１３を駆動することにより、仰角θを−１５°から６０°まで変化させることができる。
【００１７】
図４は、本発明の実施形態による制御装置２０の構成を示すブロック図である。制御装置２０は、太陽光発電装置１０の架台１５内に設置されている。
制御装置２０は、日射量計測部２１（日射量計測手段）、発電量計測部２２（発電量計測手段）、記憶部２３、日射量読出部２４（日射量読出手段）、減衰量判定部２５（減衰量判定手段）、仰角制御部２６（堆積物除去手段、仰角制御手段）、計時部２７、振動制御部２８（堆積物除去手段、振動制御手段）、ワイパ制御部２９（堆積物除去手段、清掃手段）を備えている。記憶部２３は、発電量記憶部２３ａ（発電量記憶手段）、仰角記憶部２３ｂ（仰角記憶手段）を備えている。
日射量計測部２１は、太陽光発電パネル（図１参照）が受光する太陽光の日射量を計測する。発電量計測部２２は、太陽光発電パネルの発電量を計測する。
【００１８】
図５は、本発明の実施形態による発電量記憶部２３ａが記憶する情報の一例を示す図である。発電量記憶部２３ａは、日射量と発電量との関係を記憶する。図５において、Ｘ軸は日射量（ｋＷ／ｍ２）を示しており、Ｙ軸は発電量（ｋＷ）を示している。直線ｇ１は、太陽光発電パネル１１に堆積物が堆積していないときの日射量と発電量との関係を示しており、Ｙ＝Ａ・Ｘの式で表わされる（Ａは定数）。
【００１９】
図６は、本発明の実施形態による仰角記憶部２３ｂが記憶する情報の一例を示す図である。仰角記憶部２３ｂは、時期と太陽光発電パネルの仰角との関係を対応付けて記憶する。図６に示すように、仰角記憶部２３ｂは、夏期、中間期、冬期、清掃時における仰角をそれぞれ記憶する。ここで、夏期とは例えば、夏至の前後１．５ヶ月の期間（５月８日から８月８日までの期間）をいう。また、冬期とは例えば、冬至の前後１．５ヶ月の期間（１１月８日から２月８日までの期間）をいう。また、中間期とは夏期及び冬期以外の期間（２月９日から５月７日までの期間と、８月９日から１１月７日までの期間）をいう。
【００２０】
図４に戻り、日射量読出部２４は、日射量計測部２１が計測した日射量がＸ１である場合には、発電量記憶部２３ａが記憶している情報（図５参照）に基づいて、日射量Ｘ１に対応する発電量Ｙ１を読み出す。
減衰量判定部２５は、発電量計測部２２が計測した発電量Ｘ１が日射量読出部２４が読み出した発電量Ｙ１から所定の割合（例えば、２割）以上減衰しているか否かについて判定する。
【００２１】
仰角制御部２６は、発電量計測部２２が計測した発電量Ｘ１が日射量読出部２４が読み出した発電量Ｙ１から所定の割合（例えば、２割）以上減衰していると減衰量判定部２５が判定した場合に、太陽光発電パネル１１の仰角が０°以下（例えば、−１５°）となるように制御する。より具体的には、仰角制御部２６は、現在の時期に対応する仰角を仰角記憶部２３ｂから読み出し（図６参照）、太陽光発電パネル１１の仰角θをその仰角に制御する。
【００２２】
計時部２７は、現在の日付を特定する。また、計時部２７は、夏期の期間（５月８日から８月８日までの期間）、冬期の期間（１１月８日から２月８日までの期間）、中間期の期間（２月９日から５月７日までの期間、及び、８月９日から１１月７日までの期間）を記憶しており、現在の日付がどの期間に属するかに基づいて、現在の期間が夏期、冬期、中間期のいずれであるかを特定する。
振動制御部２８は、発電量計測部２２が計測した発電量が日射量読出部２４が読み出した発電量Ｙ１から例えば２割以上減衰していると減衰量判定部２５が判定した場合に、太陽光発電パネル１１を微振動させる。
【００２３】
ワイパ制御部２９は、発電量計測部２２が計測した発電量が日射量読出部２４が読み出した発電量Ｙ１から所定の割合（例えば、２割）以上減衰していると減衰量判定部２５が判定した場合に、太陽光発電パネル１１の受光面に対してワイパ１６を上下方向（図１の方向Ｄ）に移動させることにより清掃する。
【００２４】
図７は、本発明の実施形態による太陽光発電装置１０の処理を示すフローチャートである。始めに、計時部２７は現在の日付を特定する。そして、計時部２７は、現在の日付が夏期、中間期、冬期のいずれの時期に属するかに基づいて、現在の時期を判定する（ステップＳ０１）。
現在の日付が、夏期の期間（５月８日から８月８日までの期間）に属する場合には、ステップＳ０１で「夏期」と判定し、ステップＳ０２へ進む。仰角制御部２６は、仰角記憶部２３ｂ（図６参照）から夏期の仰角（６０°）を読み出す。そして、仰角制御部２６は、図８に示すように太陽光発電パネル１１の仰角θを６０°とし（ステップＳ０２）、ステップＳ０５へ進む。
【００２５】
一方、現在の日付が、中間期の期間（２月９日から５月７日までの期間と、８月９日から１１月７日までの期間）に属する場合には、ステップＳ０１で「中間期」と判定し、ステップＳ０３へ進む。仰角制御部２６は、仰角記憶部２３ｂ（図６参照）から中間期の仰角（４５°）を読み出す。そして、仰角制御部２６は、図９に示すように太陽光発電パネル１１の仰角θを４５°とし（ステップＳ０３）、ステップＳ０５へ進む。
一方、現在の日付が、冬期の期間（１１月８日から２月８日までの期間）に属する場合には、ステップＳ０１で「冬期」と判定し、ステップＳ０４へ進む。仰角制御部２６は、仰角記憶部２３ｂ（図６参照）から冬期の仰角（３０°）を読み出す。そして、仰角制御部２６は、図１０に示すように太陽光発電パネル１１の仰角θを３０°とし（ステップＳ０４）、ステップＳ０５へ進む。
【００２６】
そして、日射量計測部２１は、太陽光発電パネル１１が受光している太陽光の日射量Ｘ１を測定する（ステップＳ０５）。次に、発電量計測部２２は、太陽光発電パネル１１により発電している発電量Ｚ１を計測する（ステップＳ０６）。なお、ステップＳ０５とステップＳ０６の処理はどちらを先に行なってもよいし、同時に行ってもよい。
【００２７】
そして、日射量読出部２４は、発電量記憶部２３ａ（図５参照）に基づいて、ステップＳ０５で計測した日射量Ｘ１に対応する発電量Ｙ１を読み出す。次に、減衰量判定部２５は、ステップＳ０６で計測した発電量Ｚ１が、発電量Ｙ１よりも所定の割合（例えば、２割）以上減衰しているか否かについて判定する（ステップＳ０７）。ここでは、Ｚ１≦０．８・Ｙ１であるか否かについて判定する。なお、本実施形態では、所定の割合が２割の場合を例に挙げて説明しているが、これに限定されるものではない。太陽光発電装置１０の管理者等は、所定の割合として任意の値を設定することができる。
【００２８】
発電量Ｚ１が発電量Ｙ１よりも所定の割合以上減衰していない場合には、ステップＳ０７で「ＮＯ」と判定し、ステップＳ０１へ進む。
一方、発電量Ｚ１が発電量Ｙ１よりも所定の割合以上減衰している場合には、ステップＳ０７で「ＹＥＳ」と判定し、ステップＳ０８へ進む。仰角制御部２６は仰角記憶部２３ｂ（図６参照）から清掃時の仰角（−１５°）を読み出す。そして、仰角制御部２６は、図１１に示すように太陽光発電パネル１１の仰角を−１５°とし（ステップＳ０８）、ステップＳ０９へ進む。
【００２９】
そして、振動制御部２８は、太陽光発電パネル１１を微振動させる（ステップＳ０９）。次に、ワイパ駆動部２９は、ワイパ１６を駆動して太陽光発電パネル１１上の堆積物を除去する（ステップＳ１０）。
次に、計時部２７は、ステップＳ０８で太陽光発電パネル１１の仰角を−１５°としてから所定時間（例えば、５分）が経過したか否かつにいて判定する（ステップＳ１１）。所定時間が経過していない場合には、ステップＳ１１で「ＮＯ」と判定しステップＳ０９へ進む。一方、所定時間が経過している場合には、ステップＳ１１で「ＹＥＳ」と判定しステップＳ０１へ進む。
【００３０】
なお、上述した実施形態では、清掃時の太陽光発電パネル１１の仰角を−１５°とするようにしたが、これに限定されるものではなく、０°から−９０°の範囲の任意の角度を用いることができる。
また、図７の説明では、ステップＳ０７において、発電量が所定の割合以上減衰していると判定した場合に、仰角を−１５°とし（ステップＳ０８）、太陽光発電パネル１１を微振動させ（ステップＳ０９）、ワイパ１６を駆動させる（ステップＳ１０）ようにしたが、これに限定されるものではなく、ステップＳ０８〜Ｓ１０の中のいずれか１つあるいは２つの処理を行うようにしてもよい。
【００３１】
なお、上述した実施形態では、１年を夏期、冬期、中間期の３期に分類して太陽光発電パネル１１の仰角を制御する場合について説明したが、これに限定されるものではない。１年を２期、あるいは４期以上に分類して太陽光発電パネル１１の仰角を制御するようにしてもよい。また、太陽光発電装置１０を設置する地域に応じて、時期の分類、時期の長さ、仰角を設定するようにしてもよい。
【００３２】
また、上述した実施形態において、設定された仰角を維持しつつ、太陽の位置する方角に向かって、地面と垂直な軸を回転軸として太陽光発電パネル１１を回転させるようにしてもよい。
また、上述した実施形態では、時期に応じて太陽光発電パネル１１の仰角を制御する場合について説明したが、これに限定されるものではなく、仰角とともに方位角を制御するようにしてもよい。ここで、方位角とは、水平面上で、所定の方向（例えば、北）と、太陽光発電パネル１１の受光面に垂直な方向とがなす角度をいう。
【００３３】
図１２は、本発明の実施形態による制御装置２０（図４）を実現するための回路構成の一例を示す図である。この回路は、電動機３１、振動機３２、スイッチ制御機３３、３４、日射計３５、電圧計３６、タイマ３７、角度計３８、交流電源３９、ヒューズ４０、スイッチＳＷ０１〜ＳＷ１２から構成されている。
電動機３１は、図４の仰角制御部２６に対応し、太陽光発電パネル１１の仰角を制御する。振動機３２は、図４の振動制御部２８に対応し、太陽光発電パネル１１を微振動させる。
【００３４】
スイッチ制御機３３は、スイッチＳＷ０３〜ＳＷ０６の開閉に応じて、スイッチＳＷ０１の開閉を制御する。スイッチＳＷ０３〜ＳＷ０６は、それぞれ中間期、夏期、冬期、清掃時に閉じられる。スイッチ制御機３４は、スイッチＳＷ０７〜ＳＷ１２の開閉に応じて、スイッチＳＷ０２の開閉を制御する。スイッチＳＷ０７、ＳＷ０８、ＳＷ１０は、それぞれタイマ３７、日射計３５、電圧計３６の状態に応じて閉じられる。スイッチＳＷ０９、ＳＷ１１、ＳＷ１２は、振動機３２を駆動させる場合に管理者等により手動で閉じられる。
【００３５】
日射計３５は、図４の日射量計測部２１に対応し、太陽光発電パネル１１が受光する太陽光の日射量を計測する。電圧計３６は、図４の発電量計測部２２に対応し、太陽光発電パネル１１が発電する発電量を計測する。
タイマ３７は、図４の計時部２７に対応し、時期の特定や時間の計測に使用される。角度計３８は、図４の仰角制御部２６に対応し、太陽光発電パネル１１の仰角を計測する。
交流電源３９は、回路を構成する各部に交流電力（例えば、ＡＣ１００Ｖ）を供給する。ヒューズ４０は、所定の電流値以上の電流が回路に流れた場合に、電流の流れを遮断し、回路を保護する。
【００３６】
本発明の実施形態による太陽光発電装置１０では、太陽光発電パネルに火山灰や砂などの堆積物が堆積して、太陽光発電パネルが受光する日射量が減少し、太陽光発電パネルによる発電量が減少した場合に、太陽光パネルの仰角が０°以下となるように制御するため、太陽光パネルに堆積している火山灰や砂を除去することができ発電量を回復することができる。本発明の実施形態による太陽光発電装置１０を用いれば、太陽光発電パネルに堆積する火山灰や砂などを管理者等が掃除して除去する必要がないため、管理者等の管理負担を軽減することができる。
【００３７】
なお、以上説明した実施形態において、図４の制御装置２０の各部の機能又はその機能の一部を実現するためのプログラムをコンピュータ読み取り可能な記録媒体に記録して、この記録媒体に記録されたプログラムをコンピュータシステムに読み込ませ、実行することにより太陽光発電装置１０の制御を行ってもよい。なお、ここでいう「コンピュータシステム」とは、ＯＳや周辺機器等のハードウェアを含むものとする。
【００３８】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３９】
【図１】本発明の実施形態による太陽光発電装置１０の構成を示す側面図である。
【図２】本発明の実施形態による太陽光発電装置１０の構造を示す斜視図である。
【図３】本発明の実施形態による太陽光発電装置１０の構造を示す正面図である。
【図４】本発明の実施形態による制御装置２０の構成を示すブロック図である。
【図５】本発明の実施形態による発電量記憶部２３ａが記憶する情報の一例を示す図である。
【図６】本発明の実施形態による仰角記憶部２３ｂが記憶する情報の一例を示す図である。
【図７】本発明の実施形態による太陽光発電装置１０の処理を示すフローチャートである。
【図８】本発明の実施形態による太陽光発電装置１０（夏期）の構成を示す側面図である。
【図９】本発明の実施形態による太陽光発電装置１０（中間期）の構成を示す側面図である。
【図１０】本発明の実施形態による太陽光発電装置１０（冬期）の構成を示す側面図である。
【図１１】本発明の実施形態による太陽光発電装置１０（清掃時）の構成を示す側面図である。
【図１２】本発明の実施形態による制御装置２０（図４）を実現するための回路構成の一例を示す図である。
【符号の説明】
【００４０】
１０・・・太陽光発電装置、１１・・・太陽光発電パネル、１２・・・太陽光発電パネル支持板、１３・・・駆動部、１４・・・回転軸、１５・・・架台、１６・・・ワイパ、２０・・・制御装置、２１・・・日射量計測部、２２・・・発電量計測部、２３・・・記憶部、２３ａ・・・発電量記憶部、２３ｂ・・・仰角記憶部、２４・・・日射量読出部、２５・・・減衰量判定部、２６・・・仰角制御部、２７・・・計時部、２８・・・振動制御部、２９・・・ワイパ制御部、３１・・・電動機、３２・・・振動機、３３、３４・・・スイッチ制御機、３５・・・日射計、３６・・・電圧計、３７・・・タイマ、３８・・・角度計、３９・・・交流電源、４０・・・ヒューズ、ＳＷ０１〜ＳＷ１２スイッチ
【図１】
2008021683.tif 000003
【図２】
2008021683.tif 000004
【図３】
2008021683.tif 000005
【図４】
2008021683.tif 000006
【図５】
2008021683.tif 000007
【図６】
2008021683.tif 000008
【図７】
2008021683.tif 000009
【図８】
2008021683.tif 000010
【図９】
2008021683.tif 000011
【図１０】
2008021683.tif 000012
【図１１】
2008021683.tif 000013
【図１２】
2008021683.tif 000014